(57)【要約】ライブテレビジョン信号を編集するシステムおよび方法。このシステムには、別々の入力ビデオ信号を受信するための複数の入力コネクタ（１１２、１１４、１１０）および１つの出力コネクタ（１２２、１２４、１８０）、入力（１１２）ビデオ信号の少なくとも１つから導出されるリアルタイム出力ビデオ信号（１２２）を出力コネクタにおいて生成するためのミキサ（１２０）、入力ビデオ信号および出力ビデオ信号のそれぞれを同時に表示する単一表示モニタ（１５０）、入力（１１２）ビデオ信号および出力（１２２）ビデオ信号に対応する少なくとも３つの画像を分割スクリーン方式で表示モニタ（１５０）に表示するための、ミキサ（１２０）と表示モニタ（１５０）の間に結合された画像表示装置（１４０）が含まれる。このシステムは、携帯式スーツケースハウジングに封入される。
2004522338.tif 000002
【特許請求の範囲】
【請求項１】
テレビ信号を編集するシステムであって、
別々の入力ビデオ信号を受信するための複数の入力コネクタおよび１つの出力コネクタと、
前記入力ビデオ信号の少なくとも１つから導出されるリアルタイム出力ビデオ信号を前記出力コネクタにおいて生成するためのミキサと、
前記入力ビデオ信号および前記出力ビデオ信号のそれぞれを同時に表示する単一表示モニタと、
前記入力ビデオ信号および前記出力ビデオ信号に対応する少なくとも３つの画像を分割スクリーン方式で前記表示モニタに表示するための、前記ミキサと前記表示モニタとの間に結合された画像表示装置とを備えるシステム。
【請求項２】
１つまたは複数の入力音声信号を受信するための少なくとも１つの追加の入力コネクタと、１つの出力コネクタとをさらに備え、前記ミキサが、さらに、少なくとも１つの前記入力音声信号から導出されるリアルタイム出力音声信号を前記追加の出力コネクタにおいて生成する、請求項１に記載のシステム。
【請求項３】
前記画像表示装置が、所望の表示構成を前記表示モニタ上において生成するように１つに結合された第１、第２、および第３の４分割ＰＣボードを備える、請求項１に記載のシステム。
【請求項４】
前記表示モニタが、単一液晶ディスプレイ（ＬＣＤ）であり、前記表示モニタが、コンピュータＶＧＡ出力を含む、請求項１に記載のシステム。
【請求項５】
前記表示モニタが、カラー基準規格に工場設定される、請求項４に記載のシステム。
【請求項６】
前記入力ビデオ信号および前記１つまたは複数の入力音声信号を受信するための、前記複数の入力コネクタを備える前記ミキサに結合された入力パネルと、
前記入力パネルと、前記ミキサと、前記画像表示装置との間に結合されたモニタパッチパネルと、
前記画像表示装置と前記表示モニタの間に結合されたＬＣＤドライバと、
前記入力音声信号および前記出力音声信号のそれぞれを聴くための、前記ミキサおよび前記入力パネルに結合された音声監視システムと、
前記ミキサに結合された専用回線（Ｐ−Ｌ）通信およびタリーシステムと、
それぞれが前記出力コネクタを備える前記ミキサと前記Ｐ−Ｌ通信およびタリーシステムとに結合された出力パネルをさらに備える、請求項２に記載のシステム。
【請求項７】
テレビジョン信号を編集する前記システムを包含する携帯式ハウジングをさらに備える、請求項６に記載のシステム。
【請求項８】
テレビジョン信号を編集する前記システムを低い光レベルで照明するための、前記ハウジングに取り付けられた折曲げ式アーム灯をさらに備える、請求項７に記載のシステム。
【請求項９】
前記表示モニタ上における周囲光を低減するための、前記ハウジングに取外し式に取り付けられたフードをさらに備える、請求項７に記載のシステム。
【請求項１０】
前記ハウジングが、視覚反射を最小限に抑えるように、艶のない黒色である、請求項７に記載のシステム。
【請求項１１】
前記入力パネルコネクタが、少なくとも１つのアナログビデオ信号コネクタと、少なくとも１つのデジタルビデオ信号コネクタと、少なくとも１つのアナログ音声信号コネクタと、少なくとも１つのデジタル音声信号コネクタとを備える、請求項７に記載のシステム。
【請求項１２】
前記入力パネルと、前記出力パネルと、前記モニタパッチパネルとが、オペレータが、テレビジョン信号を編集するシステムを論理的かつ迅速に理解することを可能にするように、前記ハウジングの上に配置される、請求項８に記載のシステム。
【請求項１３】
前記入力パネルが、前記ハウジングの左側に配置され、前記出力パネルが、前記ハウジングの右側に配置され、前記モニタパッチパネルが、前記ハウジングの背面に配置される、請求項１２に記載のシステム。
【請求項１４】
前記入力パネルおよび出力パネルが、それぞれ、前記入力パネルコネクタおよび前記出力パネルコネクタをより容易に見ることを可能にするように、傾斜して配置される、請求項１３に記載のシステム。
【請求項１５】
前記音声監視システムが、ＬＥＤディスプレイセットと、少なくとも１つのモニタ音量制御と、少なくとも１つのラウドスピーカと、少なくとも１つのヘッドフォンコネクタとを備える、請求項７に記載のシステム。
【請求項１６】
前記出力パネルコネクタが、少なくとも１つのアナログビデオ信号コネクタと、少なくとも１つのデジタルビデオ信号コネクタと、少なくとも１つのアナログ音声信号コネクタと、少なくとも１つのデジタル音声信号コネクタとを備える、請求項７に記載のシステム。
【請求項１７】
前記出力パネルコネクタが、前記出力ビデオ信号および前記出力音声信号を、ビデオレコーダと、コンピュータと、マイクロ波装置と、衛星装置と、ＤＶＤ装置とに結合するためのものである、請求項１６に記載のシステム。
【請求項１８】
前記ミキサが、少なくとも２つの時間ベース修正装置と、複数のビデオトランジションおよび特殊効果とを備え、前記ミキサが、さらに、前記入力ビデオ信号の少なくとも１つから導出されるプレビュー信号を生成するためのものである、請求項１に記載のシステム。
【請求項１９】
テレビジョン信号を編集するシステムであって、
別々の入力ビデオ信号および少なくとも１つの入力音声信号を受信するための複数の入力コネクタ、および少なくとも２つの出力コネクタと、
前記入力ビデオ信号の少なくとも１つから導出されるリアルタイム出力ビデオ信号を１つの前記出力コネクタにおいて生成し、かつ少なくとも１つの前記入力音声信号から導出されるリアルタイム出力音声信号を別の出力コネクタにおいて生成するためのミキサと、
前記入力ビデオ信号および前記出力ビデオ信号のそれぞれを同時に表示する単一表示モニタと、
前記入力ビデオ信号および前記出力ビデオ信号に対応する少なくとも３つの画像を分割スクリーン方式で前記表示モニタに表示するための、前記ミキサと前記表示モニタの間に結合された画像表示装置とを備えるシステム。
【請求項２０】
テレビジョン信号を編集するシステムであって、
別々の入力ビデオ信号および少なくとも１つの入力音声信号を受信するための複数の入力コネクタ、および少なくとも２つの出力コネクタと、
前記入力ビデオ信号の少なくとも１つから導出されるリアルタイム出力ビデオ信号を１つの前記出力コネクタにおいて生成し、かつ少なくとも１つの前記入力音声信号から導出されるリアルタイム出力音声信号を別の出力コネクタにおいて生成するためのミキサと、
前記入力ビデオ信号および前記出力ビデオ信号のそれぞれを同時に表示する単一表示モニタと、
前記入力ビデオ信号および前記出力ビデオ信号に対応する少なくとも３つの画像を分割スクリーン方式で前記表示モニタに表示するための、前記ミキサと前記表示モニタの間に結合された画像表示装置と、
前記入力音声信号および前記出力音声信号をそれぞれ聴くための、前記ミキサに結合された音声監視システムとを備えるシステム。
【請求項２１】
テレビジョン信号を編集するシステムであって、
別々の入力ビデオ信号および少なくとも１つの入力音声信号を受信するための複数の入力コネクタ、および少なくとも２つの出力コネクタと、
前記入力ビデオ信号の少なくとも１つから導出されるリアルタイム出力ビデオ信号を１つの前記出力コネクタにおいて生成し、少なくとも１つの前記入力音声信号から導出されるリアルタイム出力音声信号を別の出力コネクタにおいて生成し、かつ前記入力ビデオ信号の少なくとも１つから導出されるプレビュー信号を生成するためのミキサと、
前記入力ビデオ信号および前記出力ビデオ信号のそれぞれを同時に表示する単一表示モニタと、
前記ミキサと前記表示モニタの間に結合された画像表示装置であって、前記入力ビデオ信号および前記出力ビデオ信号に対応する少なくとも３つの画像を分割スクリーン方式で前記表示モニタに表示するための、１つに結合された第１、第２、および第３の４分割ＰＣボードを備える画像表示装置と、
前記入力コネクタのそれぞれを備える、前記ミキサに結合された入力パネルと、
前記入力パネルと、前記ミキサと、前記画像表示装置との間に結合されたモニタパッチパネルと、
前記画像表示装置と前記表示モニタの間に結合されたＬＣＤドライバと、
前記入力音声信号および前記出力音声信号のそれぞれを聴くための、前記ミキサおよび前記入力パネルに結合された音声監視システムと、
前記ミキサに結合された専用回線（Ｐ−Ｌ）通信およびタリーシステムと、
それぞれが前記出力コネクタを備える前記ミキサと前記Ｐ−Ｌ通信およびタリーシステムとに結合された出力パネルと、
テレビジョン信号を編集する前記システムを包含する携帯式ハウジングとを備えるシステム。
【請求項２２】
テレビジョン信号を編集するシステムを包含する携帯式スーツケースハウジングであって、前記システムが、複数の入力コネクタおよび１つの出力コネクタと、ミキサと、単一表示モニタと、画像表示装置とを有し、前記スーツケースハウジングが、内部および外部と、左側と、右側と、ふたと、底部とを備え、前記入力コネクタが、前記左側に配置され、前記出力コネクタが、前記右側に配置され、前記ミキサが、スーツケースハウジングの前記外部かつ前記底部に配置され、前記表示モニタが、前記スーツケースハウジングの前記ふたに配置される、携帯式スーツケースハウジング。
【請求項２３】
テレビジョン信号を編集する方法であって、
複数の入力ビデオ信号を受信するステップと、
前記入力ビデオ信号の少なくとも１つから導出されるリアルタイム出力ビデオ信号を生成するステップと、
前記入力ビデオ信号および前記出力ビデオ信号に対応する少なくとも３つの画像を分割スクリーン方式で単一表示モニタに表示するステップとを備える方法。
【請求項２４】
少なくとも１つの入力音声信号を受信するステップと、少なくとも１つの前記入力音声信号から導出されるリアルタイム出力音声信号を生成するステップと、前記入力音声信号および前記出力音声信号のそれぞれを聴くステップとをさらに備える、請求項２３に記載の方法。
【請求項２５】
テレビジョン信号を編集する方法であって、
複数の入力ビデオ信号および少なくとも１つの音声入力信号を受信するステップと、
前記入力ビデオ信号の少なくとも１つから導出されるリアルタイム出力ビデオ信号と、少なくとも１つの前記入力音声信号から導出されるリアルタイム出力音声信号とを生成するステップと、
前記入力ビデオ信号および前記出力ビデオ信号に対応する少なくとも３つの画像を分割スクリーン方式で単一表示モニタに表示するステップと、
前記入力音声信号および前記出力音声信号のそれぞれを聴くステップとを備える方法。
【発明の詳細な説明】
【技術分野】
【０００１】
本発明は、テレビジョン信号処理のシステムに関し、より具体的には、複数のライブテレビジョン信号を編集する改良型携帯式システムに関する。
【背景技術】
【０００２】
ライブビデオ信号およびライブ音声信号を編集および放送する従来の媒体は、たとえばライブスポーツイベントを放送するライブテレビジョンである。ライブテレビジョン信号は、ビデオカメラによって獲得されたイベントのビデオ信号と、たとえばマイクロフォンによって獲得された付随する音声信号として確定される。両方の信号とも、イベントが依然として行われている最中に、すなわちリアルタイムで、１つまたは複数のビデオ媒体および音声媒体を介して伝送される。ライブスポーツイベントをテレビジョンで放送するために使用される現在の技術は、「ＴＶ遠隔トラック」または同様のタイプのバン（ｖａｎ）である。ＴＶ遠隔トラックは、異なる角度からイベントを獲得する複数のビデオカメラからビデオ信号を編集するために使用される、何万ドルという価値のある機器を通常収容している。ＴＶトラックの機器は、通常、テレビジョンモニタの壁を含む。別々のモニタが、各カメラの出力を表示する。プレビューモニタは、オンエア番組制作のために公開することが可能である次の可能なライブカメラまたはビデオソースを表示し、番組モニタは、テレビジョンの視聴者が、ライブイベント時またはイベントが記録されているときに見ているライブカメラまたはビデオソースを表示する。またＴＶトラックの内部にある機器には、音声監視機器と、イベントの異なるビデオ信号と付随する音声信号との間で組合せおよび切替えを行うための音声およびビデオミキサおよび切替え装置と、ディレクタがカメラオペレータと通信するための専用回線（Ｐ−Ｌ）通信システムと、カメラオペレータに合図を送るタリーシステムと、ビデオおよび音声同期化機器とが含まれる。
【０００３】
ディレクタは、一般には全国であり、時には全世界の視聴者が見る刺激的なライブテレビジョンイベントを創出するために、上記のすべてのＴＶトラック機器の使用を調整する重要人物である。ディレクタは、「撮直し」のようなことがないライブテレビジョンにおいて必要とされる重要かつ即座の個人的判断を行う責任がある。
【０００４】
現在のＴＶトラック技術には、多くの重大な欠点がある。第１に、この技術を使用すると、トラック内の機器の未使用コストと、ならびにこの機器を動作する人時コストとの両方が、著しく高くなることである。ＴＶトラック機器は、アナログ規格２６ピンコネクタ技術を使用するので、高価なカメラ（一般には、それぞれが５０，０００＄以上のコストがかかる）のみが、ＴＶトラック機器と適合する。これにより、この従来の技術によるライブテレビジョン放送のコストはさらに上昇する。さらに、上記のアナログカメラは、同期させなければならず、このために、ビデオ信号のタイミングおよび電圧を測定する波形モニタと、カラー情報を測定するベクトルスコープなどの追加の機器とを必要とする。熟練技術者が、この機器を動作する必要があり、ＴＶトラック技術を使用するライブテレビジョン放送に関連するコストをさらに上昇させる。
【０００５】
ＴＶトラック技術を使用することに関連する高いコストは、極度に法外である。一般に、主要なネットワーク、ＴＶ局、およびいくつかの資金状況の良いケーブルＴＶシステムのみが、この技術を使用して、ライブテレビジョン番組を制作する余裕がある。しかし、これらの団体でさえ、制作コストが、小規模のイベントには通常高過ぎるので、この技術を使用して、主要なまたはプロのスポーツイベント以外の番組を制作することを選択しない可能性がある。一方、ライブローカル番組を創出することを望む可能性がある小規模な会社、学校、および愛好家などは、単純にこの機器を使用する余裕がない。
【０００６】
ＴＶトラックアナログ技術の第２の主要な欠点は、急速に出現しつつあるデジタルビデオ技術と互換性がないことである。当然、アナログ信号は、処理のためにデジタル信号に変換することができるが、これは、既存の方法および技術の上述した制約を必ずしも解決しない。ワールド・ワイド・ウエブの拡大する帯域幅と組み合わされた新しいデジタルテレビジョンおよびビデオ規格は、番組内容の膨大な真空地帯（ｖａｃｕｕｍ）、すなわち「ウエブキャスティング」を創出しつつある。さらに、放送品質カメラが、＄１５００程度で地方の電気店で販売されており、これらのカメラは、ＴＶトラック技術で使用される＄５００００のカメラより良好ではないものの、同等のピクチャを生成する。主要ＴＶネットワークなどの熟練使用者と、高校生および教師などの未熟使用者との両方に、専門品質の複数カメラによるライブ番組またはライブ録画番組を妥当なコストで創出する能力を与えるシステムは、この拡大する新しいウエブキャスティング・メディアには存在しない。
【０００７】
ＴＶトラック技術の第３の主要な欠点は、ライブテレビジョン信号の編集および放送するために工学的手法を取ることである。すなわち、主な目的は、内容を取り出すために必要な機器を組み立てることである。しかし、番組ディレクタが、番組内容を創出しながら行わなければならない極めて重要で一刻を争う決定の難しさについては、ほとんど考慮されていない。たとえば、ディレクタが見なければならない複数のテレビジョンモニタと、ＴＶトラック機器を動作するために必要な他の機器および人員とは、すべて、ディレクタにとって著しく注意力を散漫させるものとして作用する。
【０００８】
Ｊ−Ｌａｂ  Ｃｏ．は、携帯性の問題にのみ対処するビデオ制作システムを提供する。しかし、このシステムも、アナログ技術に基づいており、比較的コストがかかる。したがって、このユニットは、産業用および消費者レベルのカメラを使用することを可能にしない。代わりに、Ｊ−Ｌａｂシステムは、放送アナログ規格２６ピンコネクタ技術に依拠する。さらに、Ｊ−Ｌａｂシステムのアナログ出力は、ワールド・ワイド・ウエブ上にライブ伝送するためにウエブキャスト音声／ビデオ・ストリーミング（ｓｔｒｅａｍｉｎｇ）装置の中に即座に符号化することができる、デジタル方式で符号化された信号を生成しない。Ｊ−Ｌａｂシステムの他の欠点は、個別の表示モニタを使用することにより、ディレクタが、スクリーンディスプレイからスクリーンディスプレイ、さらに各フレームピクチャのフレーム線およびベゼルを通り越して目を動かさなければならず、ディレクタに所望よりも多くの眼球運動をさせることである。
【０００９】
ピナクルシステムも、ＳｔｒｅａｍＧｅｎｉｅ（商標）と呼ばれる携帯式制作システムを提供する。しかし、このシステムも、従来の技術のすべての欠点に対処することはできない。たとえば、ＳｔｒｅａｍＧｅｎｉｅ（商標）は、ヒューマンインタフェース設計を有するが、この設計は、システムが、システムのスクリーン上で一度に可能にするのが２つのカメラ画像のみであり、かつこれらの画像が極度に小さいために、ＴＶディレクタが、通常の高速ペースのライブ制作環境において、複数カメラから画像を編集することを非常に困難にする。これにより、ディレクタは、ライブ編集決定を行うためにほとんど瞬間的に考慮しなければならない詳細を見ることを妨害される。
【発明の開示】
【発明が解決しようとする課題】
【００１０】
複数のライブテレビジョン信号を編集する改良型携帯式システムが必要である。
【課題を解決するための手段】
【００１１】
本発明は、従来の技術の上述した欠点、短所、および問題に対処することを対象とする。本発明は、ライブテレビジョン信号を編集するシステムであり、別々の入力ビデオ信号を受信するための複数の入力コネクタおよび１つの出力コネクタと、前記入力ビデオ信号の少なくとも１つから導出されるリアルタイム出力ビデオ信号を前記出力コネクタにおいて生成するためのミキサと、前記入力ビデオ信号および前記出力ビデオ信号のそれぞれを同時に表示するための信号表示モニタと、前記入力ビデオ信号および前記出力ビデオ信号に対応する少なくとも３つの画像を分割スクリーン方式で前記表示モニタに表示するための、前記ミキサと前記表示モニタの間に結合された画像表示装置を備える。また、該システムは、１つまたは複数の別々の入力音声信号を受信するための少なくとも１つの追加の入力コネクと１つの追加の出力コネクタとを備え、前記ミキサは、さらに、少なくとも１つの前記入力音声信号から導出されるリアルタイム出力音声信号を前記追加の出力コネクタにおいて生成するためのものである。
【００１２】
ミキサは、少なくとも２つの時間ベース修正装置と、複数のビデオトランジションおよびスペシャルエフェクトをも備えることが好ましく、前記ミキサは、さらに、前記入力ビデオ信号の少なくとも１つから導出されるプレビュー信号を生成するためのものである。画像表示装置は、所望の表示構成を前記表示モニタ上において生成するように１つに結合された第１、第２、および第３の４分割ＰＣボードを備えることが好ましい。表示モニタは、カラー基準規格に工場設定された単一液晶表示出力であることが好ましく、随意選択のコンピュータモニタを駆動するために、コンピュータＶＧＡ出力を有する。
【００１３】
ライブテレビジョン信号を編集するシステムは、前記入力ビデオ信号を受信するための前記複数の入力コネクタと、前記１つまたは複数の別々の入力音声信号を受信するための前記少なくとも１つの追加の入力コネクタとを備える、前記ミキサに結合された入力パネルと、前記画像表示装置と前記ミキサの間に結合され、かつ前記入力パネルに結合されたモニタパッチパネルと、前記ミキサに結合され、ステレオラウドスピーカと、ヘッドフォンジャックと、音量レベル制御とを有する音声監視システムと、前記ミキサに結合された専用回線通信およびタリーシステムと、それぞれが前記出力コネクタを備える前記ミキサと前記Ｐ−Ｌ通信およびタリーシステムとに結合された出力パネルと、ライブテレビジョン信号を編集する前記システムを包含するための携帯式ハウジングと、ライブテレビジョン信号を編集する前記システムを低い光レベルで照明するための、前記ハウジングに取り付けられた折曲げ式アーム灯と、前記表示モニタ上において周囲光を低減するための、前記ハウジングに取外し式に取り付けられたフードをも備えることが好ましい。最後に、ハウジングは、視覚的な反射を最小限に抑えるように、艶のない黒色であることが好ましい。
【００１４】
また、本発明は、ビデオ信号を編集する方法であり、ａ）アナログ入力信号およびデジタル入力信号を備える複数の入力ビデオ信号の少なくとも１つを編集して、出力ビデオ信号を生成すること、ｂ）複数の入力音声信号の少なくとも１つを編集して、出力音声信号を生成すること、ｃ）前記入力ビデオ信号および前記出力ビデオ信号のそれぞれを単一表示モニタ上で見ること、ｄ）前記入力音声信号および前記出力音声信号のそれぞれを聴くことを備える。
【００１５】
本発明の目的は、複数のライブテレビジョン信号を編集する改良型携帯式システムに備えることである。
本発明の１つの重要な利点は、システムを自動車両に永続的に取り付ける必要がないことである。システムを遠隔地に手で運ぶことが可能であり、したがって携帯式である。さらに、該システムは、航空機に機内持込み手荷物として容易に保管されるように寸法決めされる。
【００１６】
本発明の他の重要な利点は、費用効果が高いことであるが、その理由は、高価なＴＶトラックアナログ機器と、その機器を動作するために必要な付随するマンパワーとに依存しないからである。たとえば、本発明は、複数のモニタの代わりに、単一のモニタを含む。本発明は、少なくとも２つの時間ベース修正装置をもミキサの入力に含んで、コストの高い追加の同期化機器、またはその機器を操作するエンジニアおよび技術者を必要とせずに、アナログビデオ信号とデジタルビデオ信号の両方と共存可能な「プラグアンドプレイ」システムを創出する。
【００１７】
本発明の他の利点は、ライブテレビジョン番組のディレクタの要求に鋭敏なことである。たとえば、単一ディスプレイにより、ディレクタが、いくつかのモニタ間で目を移動する必要性が排除され、また、ディレクタが、どのカラーモニタを追跡するかを決定する必要性が排除される。さらに、フードを含むことにより、表示モニタ上の周囲光が低減され、折曲げ式アームを使用することにより、入力パネルおよび出力パネルとミキサ構成要素とを、低い光レベルで見ることが可能になる。最後に、ハウジングのほとんどの表面は、ディレクタの注意力を散漫させることがある視覚的な反射を最小限に抑えるように、艶のない黒色に完成される。
【００１８】
本発明の他の利点は、ビデオレコーダ、コンピュータ、マイクロ波装置、衛星装置、ハードドライブ、およびＤＶＤ装置などに、出力を同時にストリーミングすることができるように、出力パネルが構成されることである。さらに、本発明は、ワールド・ワイド・ウエブ上にライブ伝送するためにウエブキャスト音声／ビデオストリーミング装置に即座に符号化することができる、デジタル方式で符号化された信号を生成し、したがって、デジタルビデオおよびテレビジョンの技術を使用する。
【００１９】
本発明の他の利点は、高品質の番組内容を制作しながら、専門家および素人の両方によって容易に使用することができることである。
本発明の以上の態様および付随する利点は、以下の詳細な記述を添付の図面と関連して取り入れて、参照することによって、より容易に理解されるであろう。
【発明を実施するための最良の形態】
【００２０】
図１は、本発明の好ましい実施形態によるライブテレビジョン信号を編集するシステム１００を示すブロック図である。システム１００は、入力パネル１１０と、ミキサ１２０と、モニタパッチパネル１３０と、３つの４分割ＰＣボード１４２、１４４、および１４６をそれぞれ有する画像表示装置１４０と、ＬＣＤドライバ１４８と、表示モニタ１５０と、音声監視システム１６０と、２チャネルＰ−Ｌ（専用回線）ヘッドフォン通信およびタリーシステム１７０と、出力パネル１８０とを備える。システム１００の上記の準構成要素間の線は、これらの準構成要素の相互接続を示す。これらの準構成要素は、適宜、業界標準のワイヤおよびコネクタを使用して、１つに結合される。
【００２１】
システム１００は、以下のように動作する。カメラ１、カメラ２、カメラ３、およびカメラ４など、少なくとも４つの別々のカメラが、それぞれ、ライブテレビジョン番組またはライブウエブキャスティング番組で放送されるイベントを獲得することが理想的である。当業者なら、より多くまたはより少ないカメラを使用することが可能であり、またイベントを記憶することも可能であることを理解するであろう。各カメラは、入力ビデオ信号を生成し、この信号は、入力パネル１１０にストリーミングされる。図１は、入力ビデオ信号１１２として入力パネル１１０の中に集団的にストリーミングされている、カメラ１、カメラ２、カメラ３、およびカメラ４からの入力ビデオ信号１、２、３、および４を示す。
【００２２】
イベントは、マイクロフォン、テーププレーヤ、または混合コンソールなど、１つまたは複数のソースからの１つまたは複数の音声信号と関連付けることも可能であった。図１は、入力音声信号１１４として入力パネル１１０の中に集団的にストリーミングされている、１つまたは複数の入力音声信号をさらに示す。入力信号５、６、７、および８などの追加の入力ビデオ信号も、入力パネル１１０の中にストリーミングすることが可能であり、入力ビデオ信号１１２および入力音声信号１１４は、事前に記録した信号を含むことが可能である。入力パネル１１０は、アナログ信号またはデジタル信号とすることができる入力ビデオ信号１１２と、やはりアナログ信号またはデジタル信号とすることができる入力音声信号１１４とを受信するための、複数の業界標準コネクタを含む。これらのコネクタは、所望するように構成することができ、各コネクタは、別々の入力信号を受信することが好ましい。
【００２３】
入力パネル１１０から、入力ビデオ信号１１２および入力音声信号１１４は、放送しているイベントのディレクタが編集するために、ミキサ１２０の中にストリーミングされる。編集には、これらの入力信号の監視、選択、切替え、および混合が含まれる。入力ビデオ信号１１２は、モニタパッチパネル１３０にもストリーミングされ、入力音声信号１１４は、音声監視システム１６０にさらにストリーミングされる。ミキサ１２０は、少なくとも１つの入力ビデオ信号を編集するように作用して、リアルタイム出力ビデオ信号１２２を生成し、またプレビュー信号１２８が生成するように作用する内部回路を含むことが好ましい。ミキサ１２０は、少なくとも１つの音声信号を編集して、リアルタイム出力音声信号１２４を生成する内部回路をも含むことが好ましい。入力ビデオ信号１１２、プレビュー信号１２８、および出力ビデオ信号１２２は、見るための表示モニタ１５０にこれらの信号をストリーミングするように、モニタパッチパネル１３０を介して、画像表示装置１４０の４分割ＰＣボード１４２、１４４、および１４６に同時にストリーミングされる。入力音声信号１１４および出力音声信号１２４は、音声監視システム１６０に同時にストリーミングされる。最後に、出力ビデオ信号１２２および出力音声信号１２４は、これらの信号を外部装置に結合することを可能にするために、出力パネル１８０にストリーミングされる。
【００２４】
次に、各準構成要素の好ましい実施形態について記述する。ミキサ１２０は、合成ビデオ信号と、Ｓビデオなどの成分ビデオ信号と、ファイアワイアなどのデジタルビデオ信号とを含む複数のライブビデオ信号規格を受信し、これらの入力ビデオ信号を編集して、同じ規格の出力ビデオ信号を生成するように構成されることが理想的である。ミキサ１２０は、また、付随するライブ音声信号と、ならびに事前に記録したビデオ入力信号および音声入力信号とを編集するように構成されることも好ましい。ミキサ１２０は、４つの合成ビデオ入力と、４つのＳビデオ入力と、２つのファイアワイア入力と、少なくとも２つのＳビデオ出力と、少なくとも２つの合成出力と、少なくとも１つのファイアワイア出力とを備えることが好ましい。ミキサ１２０は、見るための表示モニタ１５０にプレビュービデオ信号をストリーミングするように、４分割ＰＣボード１４６に結合されることが好ましいプレビュースクリーン出力を含むことも好ましい。ミキサ１２０は、同期化した音声の混合を可能にする８つの音声入力および４つの音声出力をさらに備える。
【００２５】
ミキサ１２０は、基準同期および副搬送波信号を各個々のカメラに送り返す必要性を排除する少なくとも２つの時間ベース修正装置（ＴＢＣ）をその入力にさらに備えることが好ましい。ＴＢＣは、また、高度に熟練したオペレータが、ミキサ１２０を基準にして、各カメラの水平位相、垂直位相、および色副搬送波の位相を測定して、同期化させるために調節する必要性も排除する。これらのＴＢＣをミキサ１２０に含むことにより、システム１００は、「プラグアンドプレイ」システムとすることが可能であり、これにより、コストのかかる追加の機器を必要とせずに、様々な規格を使用するカメラからの複数のビデオ入力が、同期共存性を達成することが可能になる。最後に、ミキサ１２０は、ディレクタが使用するフェード、溶解、ズーム、およびトレイリング効果を含めて、複数のビデオトランジションおよびスペシャルエフェクトを含むことが好ましい。システム１００において使用することが可能であるミキササブシステムの例には、ＶｉｄｅｏｎｉｃｓによるＭＸＰｒｏＤＶデジタルビデオミキサがある。
【００２６】
入力ビデオ信号１１２と、出力ビデオ信号１２２と、プレビュー信号１２８とは、モニタパッチパネル１３０を通してストリーミングされる。モニタパッチパネル１３０は、ディレクタが、表示モニタ１５０に表示された画像のいずれか１つ、すなわち入力ビデオ信号１１２、出力ビデオ信号１２４、またはプレビュー信号を、システム１００の機能を妨害することなく、必要時に、あらゆる他の位置あるいは１つまたは複数の外部ディスプレイまたは外部装置に容易に再度割り当てることを可能にするように、構成されることも好ましい。
【００２７】
画像表示装置１４０は、入力ビデオ信号１１２と、出力ビデオ信号１２２と、プレビュー信号１２８とを受信して、これらの信号をディレクタが見るための表示モニタ１５０に適切にストリーミングするように構成される。画像表示装置１４０は、３つの４分割ＰＣボード１４２、１４４、および１４６を備えることが好ましい。各４分割ＰＣボードは、アナログまたはデジタルである４つのライブカラービデオ信号の最大値を受理して、スクリーンを４つの区間に分割することによって、これらの信号を単一の表示スクリーンに同時に表示することができることが理想的である。さらに、各４分割ＰＣボードは、ビデオ信号をビデオ表示装置または他の４分割ＰＣボードにストリーミングするために使用することが可能である出力を備える。画像表示装置１４０において使用することが可能である４分割ＰＣボードの例には、Ｅｌｉｔｅ  ＶｉｄｅｏによるＥｌｉｔｅ  Ｍｉｎｉｐｌｅｘユニットの内部ボードがある。
【００２８】
４分割ＰＣボード１４２、１４４、および１４６は、入力ビデオ信号１１２と、出力ビデオ信号１２２と、プレビュー信号１２８とを、図２に示した表示構成２００として表示モニタ１５０に表示することを可能にするように相互接続される。カメラ１、カメラ２、カメラ３、およびカメラ４からの入力ビデオ信号１１２は、それぞれ、ブロック２３０、２３２、２３４、および２３６において表示される。視聴者に放送される次の入力ビデオ信号のプレビュー、すなわちミキサ１２０からのプレビュー信号１２８は、ブロック２１０において表示され、また、たとえば視聴者に放送される、または外部装置に記憶される、ミキサ１２０によって生成されたライブ出力ビデオ信号１２２は、番組ブロック２２０において表示される。表示構成２００を達成するために、それぞれカメラ１および２からのビデオ入力１および２は、４分割ＰＣボード１４２にストリーミングされる。ＰＣボード１４２は、ビデオ入力５および６を受けるように構成することも可能である。それぞれカメラ３および４からのビデオ入力３および４は、４分割ＰＣボード１４４にストリーミングされる。ＰＣボード１４４は、ビデオ入力７および８を受信するように構成することも可能である。最後に、出力ビデオ信号１２８およびプレビュー信号１２６は、４分割ＰＣボード１４６にストリーミングされ、ＰＣボード１４６は、プレビュー信号または出力信号の完全なスクリーン表示にズームして、次いで再びディスプレイ２００にズームするように構成される。追加のビデオソース、すなわち図２に示した入力５、入力６、入力７、および入力８、ディレクタによって決定されたクロックまたは音声レベルインジケータなどの他の項目は、残りの４つの補助ブロック２３８、２４０、２４２、および２４４に表示することが可能である。
【００２９】
図２に示した表示構成２００は、カメラとミキサ１２０とによって生成された様々な信号を同時に表示することが可能である方式の一例である。表示構成２００は、好ましいが、その理由は、入力監視を上部に、プレビュー監視を左側の入力の下に、および番組（または線）監視を右側の入力の下に有する業界標準調整室の慣例と矛盾しないからである。表示モニタ１５０上における入力信号および出力信号の構成は、これらの４分割ＰＣボードの相互接続を変更することによって、ユーザの要求に応じて変更することができる。
【００３０】
ＬＣＤドライバ１４８が、画像表示装置１４０と表示モニタ１５０の間に結合され、４分割ＰＣボード１４６の出力からの合成ビデオ信号を、表示モニタ１５０に入力される適切な信号に変換するように構成されることが好ましい。ＬＣＤドライバ１４８は、表示モニタ１５０に示されるピクチャの見掛けのスクリーン解像度を上げ、より明瞭な詳細を提供し、表示モニタ１５０からＴＶ走査線を排除するように、「線二重化」回路も含むことが好ましい。ＬＣＤドライバ１４８は、市販のドライバボードとすることが可能である。
【００３１】
表示モニタ１５０は、高解像度放送品質の単一ＴＦＴ（薄膜トランジスタ）液晶ディスプレイ（ＬＣＤ）であり、これは、ディレクタが、入力ビデオ信号、出力ビデオ信号、およびプレビュー信号のそれぞれを十分詳細に見ることを可能にする寸法を有する表示スクリーンを含む。表示モニタの寸法は、対角線長が４３．１８センチ（１７インチ）であることが理想的である。単一表示モニタを使用することにより、編集決定を行うためにいくつかのモニタ間で目を前後に動かさなければならないディレクタにとって、注意力を散漫させるものが排除される。
【００３２】
表示モニタ１５０は、現場で注意または再設定する必要のないカラー基準規格に工場設定され、ＴＶ制作プロセスを簡単にすることが好ましい。事前設定カラー基準を有する単一モニタを使用することにより、どの１つまたは複数のモニタが最も現実的なピクチャを表示しているかを決定するという、従来のテレビジョン調整室で最も問題であった要素の１つが解決される。個々のモニタは、使用年数および温度の条件によるドリフトの影響を受けることがあり、コントラスト、輝度、カラー強度、および色彩に対するモニタの外部調節制御は、モニタごとに変動することがある。したがって、１つのビデオ入力信号を、第２または複数のビデオ入力信号に関して調節する必要があるか、あるいは個々のモニタが単に適切に調節されていないだけなのかを判定することは、不可能ではないまでも、困難なことがある。単一事前設定モニタディスプレイをすべての信号に対して使用することによって、個々の信号間のコントラスト、輝度、カラー強度、および色彩の相違および類似を容易に認識することができ、複雑な測定を必要とせずに、相違の原因を迅速かつ容易に決定することができる。より大きいスクリーン画像が所望である場合、または別々の切替え装置およびディレクタ機能が所望である場合、すなわち、ディレクタが自分自身のモニタからショットを「要求」して、切替え装置（または技術ディレクタ）がボタンを押す場合、表示モニタ１５０は、外部コンピュータモニタをシステム１００に結合することを可能にするために、業界標準コンピュータＶＧＡも含むことが好ましい。
【００３３】
システム１００は、音声監視システム１６０をも備える。音声監視システム１６０は、入力音声信号１１４および出力音声信号１２４の音声レベルを示すＬＥＤディスプレイセットを備えることが好ましい。音声監視システム１６０は、ディレクタが音声信号の品質を監視することを可能にするように、少なくとも１つのモニタ音量制御、少なくとも１つのラウドスピーカ、および少なくとも１つのヘッドフォン端子をも備えることが好ましい。監視レベルは、伝送または記録されている実際の音声レベルとは関係のない前面パネル音量制御によって制御可能であることが理想的である。
【００３４】
システム１００は、Ｐ−Ｌおよびタリーシステム１７０をさらに備える。Ｐ−Ｌおよびタリーシステム１７０により、ディレクタが、カメラオペレータに話しかけ、かつどのカメラビデオ信号が出力信号として放送されているかを示す視覚的な「オンエア」インジケータを各カメラオペレータに送ることが可能になる。
【００３５】
ミキサ１２０のすべての合成、Ｓビデオ、およびデジタルビデオ出力１２２および音声出力１２４と、Ｐ−Ｌタリーコネクタとは、ミキサ１２０によって創出された出力信号を外部装置にストリーミングすることができるように、出力パネル１８０に配線される。したがって、出力パネル１８０は、複数の業界標準コネクタを備えて、アナログ信号またはデジタル信号とすることができる出力ビデオ信号１２２および出力音声信号１２２を、ビデオレコーダ、インターネット圧縮／ストリーミングコンピュータ、マイクロ波装置、衛星装置、ハードドライブ、およびＤＶＤ装置などに同時にストリーミングすることを可能にすることが好ましい。さらに、システム１００は、ワールド・ワイド・ウエブ上にライブ伝送するためにウエブキャスト音声／ビデオストリーミング装置の中に即座に符号化することができる、デジタル方式で符号化された信号を生成する。これらの出力コネクタは、所望するように構成することができる。
【００３６】
システム１００は、１１０から２２０ボルトで、５０から６０サイクルのＡＣ電源から給電されることが好ましい。システム１００は、図３および図４に示したように、非常に容易な携帯性と、セットアップと、使用法とを可能にする頑丈なプラスチックスーツケースタイプのコンテナに内蔵されることが好ましい。システム１００は、手で運ぶことができ、その寸法は、航空機に機内持込み手荷物として容易に保管することができるようなものであることが理想的である。この寸法は、約４８．２６センチ（１９インチ）Ｌ×３８．１センチ（１５インチ）Ｗ×１７．７８センチ（７インチ）Ｄであることが好ましい。さらに、ふたは、開いているとき、良好な視角をオペレータに提供する。
【００３７】
図３は、本発明の好ましい携帯式ハウジング３００を示す。ハウジング３００は、図１に示したシステム１００の準構成要素のハウジング内における構成を見ることができるように、ふたが開いた状態で示されている。図３に示すように、入力パネル３１０は、ハウジング３００の左側に配置されることが好ましい。ミキサ３２０は、ハウジング３００の内部かつ底部に配置される。表示モニタ３３０は、ハウジング３００の上部、すなわちふたに配置される。音声システム用の１組のＬＥＤモニタ３４０も、ハウジング３００のふたに配置される。出力パネル（図示せず）は、ハウジング３００の右側に配置され、モニタパッチ（図示せず）は、ハウジング３００の背面に配置される。入力を左側、モニタパッチパネルを中央、出力を右側に有するハウジングのレイアウトは、オペレータがシステムを論理的かつ迅速に理解するのを容易にするが、その理由は、このレイアウトにより、信号の流れる方向が２倍になるからである。他の特徴は、ディレクタに対する条件を最適化するように含まれることが好ましい。たとえば、図３は、ＬＣＤディスプレイ上の周囲光を低減するために使用されるフード３６０と、薄暗くすることができ、かつ入力パネルおよび出力パネルとミキサを低い光レベルで見ることを可能にする折曲げ式アーム灯３５０とを示す。
【００３８】
図４は、入力パネル４１０を含めてハウジングの外部を見ることができるようにハウジングのふたが閉じられている、本発明の好ましい携帯式ハウジングを示す。入力パネル、出力パネル、およびパッチパネルは、これらのパネルがケースの側面に平行である場合より、個々のコネクタをより容易に見ることができるように、ハウジング上で傾斜していることが好ましい。これにより、取扱いおよび輸送中に、コネクタが損傷することも防止される。さらに、入力パネルの入力端子および出力パネルの出力端子は、必要であれば、２人の人間が、セットアップ中に互いを妨害せずに同時に業界標準接続を実施することが可能であるように、グループ化されることが理想的である。
【００３９】
最後に、ユニットのほとんどの表面は、最善の編集意思決定を行うために、実際のカラービデオカメラ画像とプレビューおよび番組モニタとに完全に集中する必要があるディレクタの注意力を散漫させることがある視覚的な反射を最小限に抑えるように、艶のない黒色に完成されることが好ましい。
【００４０】
上記の本文に記述したライブテレビジョン信号を編集する方法システムの実施例は、本発明の最適モードを示すように選択された。上述した本発明のすべての実施形態は、本発明の原理を示しており、上述した特定の実施形態に本発明を限定することを意図していない。したがって、本発明の好ましい実施形態について示し、記述してきたが、本発明の精神および範囲から逸脱せずに、その範囲内で様々な変更を実施することができることが理解されるであろう。
【図面の簡単な説明】
【００４１】
【図１】本発明の好ましい実施形態による、ライブテレビジョン信号を編集するシステムを示すブロック図である。
【図２】入力ビデオ信号、出力ビデオ信号、およびプレビュー信号のそれぞれが、図１に示したシステムの表示モニタスクリーンに好ましく表示される様子を示すブロック図である。
【図３】図１に示したシステムの準構成要素のハウジング内における構成を見ることができるように、ハウジングのふたが開いている、本発明の好ましい携帯式ハウジングを示す図である。
【図４】ハウジングの外側を見ることができるように、ハウジングのふたが閉じている、本発明の好ましい携帯式ハウジングを示す図である。
【図１】
2004522338.tif 000003
【図２】
2004522338.tif 000004
【国際公開パンフレット】
2004522338.tif 000005
2004522338.tif 000006
2004522338.tif 000007
2004522338.tif 000008
2004522338.tif 000009
2004522338.tif 000010
2004522338.tif 000011
2004522338.tif 000012
2004522338.tif 000013
2004522338.tif 000014
2004522338.tif 000015
2004522338.tif 000016
2004522338.tif 000017
2004522338.tif 000018
2004522338.tif 000019
2004522338.tif 000020
2004522338.tif 000021
2004522338.tif 000022
2004522338.tif 000023
2004522338.tif 000024
2004522338.tif 000025
2004522338.tif 000026
2004522338.tif 000027
2004522338.tif 000028
【国際調査報告】
2004522338.tif 000029